(57)【要約】  本発明は、外部ホスト機器と表示機器との間に表示データを伝送するための表示信号無線伝送装置であって、該外部ホスト機器とのネットワーク転送プロトコルによる高周波数帯域範囲の信号チャネルを確立するための無線信号送受信手段と、該無線信号送受信手段に接続されており、無線信号送受信手段からの信号を解析して外部機器の情報、配置情報及び／又は表示データを解析するとともに、この配置情報に基づき配置及びモードの選択を実行して、有効な表示データを出力するための主コントローラと、該主コントローラ及び表示機器に接続されており、主コントローラからの表示データの記憶及び出力制御、並びに表示機器インタフェース信号のタイミング制御を実現するための画像データ処理制御手段と、を備えている。また、本発明は、表示機器並びに表示信号無線伝送方法を提供する。
2009510816.tif 000002
【特許請求の範囲】
【請求項１】
外部ホスト機器と表示機器との間に表示データを伝送するための表示信号無線伝送装置であって、
該外部ホスト機器とのネットワーク転送プロトコルによる高周波数帯域範囲の信号チャネルを確立するための無線信号送受信手段と、
該無線信号送受信手段に接続されており、無線信号送受信手段からの信号を解析して外部機器の情報、配置情報及び／又は表示データを解析するとともに、この配置情報に基づき配置及びモードの選択を実行して、有効な表示データを出力するための主コントローラと、
該主コントローラ及び表示機器に接続されており、主コントローラからの表示データの
記憶及び出力制御、並びに表示機器インタフェース信号のタイミング制御を実現するための画像データ処理制御手段と、
を備えていることを特徴とする表示信号無線伝送装置。
【請求項２】
前記無線信号送受信手段が、
高周波数帯域アナログ信号を送受信するためのアンテナと、
高周波数帯域範囲の信号のアナログ・デジタル／デジタル・アナログ変換、符号化／復号化、変調／復調を実行するための無線伝送手段と、
を備えていることを特徴とする請求項１に記載の表示信号無線伝送装置。
【請求項３】
前記無線伝送手段が、超広帯域無線手段、または高帯域幅無線アダプタであり、無線周波数部と、ベースバンド・メディアアクセス制御部とを備えていることを特徴とする請求項２に記載の表示信号無線伝送装置。
【請求項４】
前記画像データ処理制御手段が、
複数のホスト機器が同時に使用するとともに画面分割表示する必要がある場合に、異なるホスト機器からの表示データを完全な表示データに合成するための画面分割コントローラと、
画像のアクセス制御を実行するための画像記憶コントローラと、
異なる表示モード及び更新頻度に基づいて、異なる出力タイミング信号及び同期信号を発生するための画像出力コントローラと、
を備えていることを特徴とする請求項１に記載の表示信号無線伝送装置。
【請求項５】
前記主コントローラが、外部機器の情報に基づいて、当該ホスト機器の表示機器共有を許容するのかを決定し、ホスト機器リストを管理し、画面分割制御パラメータを提供し、各外部ホスト機器に対応する出力フォーマット及びデータ要求を制御するために用いられることを特徴とする請求項１に記載の表示信号無線伝送装置。
【請求項６】
画像データ処理制御手段と表示機器との間に位置されており、画像データ処理制御手段からの表示データを変換して表示機器へ出力するためのデジタル・アナログ変換手段をさらに備えていることを特徴とする請求項１に記載の表示信号無線伝送装置。
【請求項７】
さらに、外部ホスト機器に送信された無損失圧縮後の表示データを伸長することもできることを特徴とする請求項１に記載の表示信号無線伝送装置。
【請求項８】
表示装置と、請求項１乃至請求項７の何れか一つに記載の表示信号無線伝送装置とを備えている表示装置であって、
前記無線伝送装置が表示機器の内部に設けられ、外部ホスト機器から表示信号を受信して該表示装置に伝達することを特徴とする表示機器。
【請求項９】
外部ホスト機器と表示機器との間に表示データを伝送するための表示信号無線伝送方法において、
ネットワーク転送プロトコルに基づき、無線方式にて外部ホスト機器からの高周波数帯域範囲の信号を受信するステップａ）と、
前記受信された信号を解析して外部機器の情報、配置情報及び／又は表示データを解析するとともに、該配置情報に基づき配置及びモードの選択を実行して、有効な表示データを出力するステップｂ）と、
前記有効な表示データを処理し、表示機器インタフェース信号のタイミングを制御し、表示データを前記表示機器に出力するステップｃ）と、
を含んでいることを特徴とする表示信号無線伝送方法。
【請求項１０】
前記ステップｃ）に、
複数のホスト機器が同時に使用するとともに画面分割表示する必要がある場合に、異なるホスト機器からの表示データを完全な表示データに合成するステップと、
画像のアクセス制御を実行するステップと、
異なる表示モード及び更新頻度に基づいて、異なる出力タイミング信号及び同期信号を発生するステップと、
を含んでいることを特徴とする請求項９に記載の表示信号無線伝送方法。
【請求項１１】
前記ステップｂ）に、
外部機器の情報に基づいて、当該ホスト機器の表示機器共有を許容するのかを決定するステップと、
ホスト機器リストを管理し、画面分割制御パラメータを提供し、各外部ホスト機器に対応する出力フォーマット及びデータ要求を制御するステップと、
を含んでいることを特徴とする請求項９に記載の表示信号無線伝送方法。
【請求項１２】
前記ステップａ）の前に、
ある外部ホスト機器が、各外部ホスト機器に対応する出力フォーマット及びデータ要求を制御するステップをさらに含んでいることを特徴とする請求項９に記載の表示信号無線伝送方法。
【請求項１３】
前記ステップｃ）に、
表示データを表示機器に出力する前に該表示データを変換するステップをさらに含んでいることを特徴とする請求項９に記載の表示信号無線伝送方法。
【請求項１４】
外部ホスト機器に送信された無損失圧縮後の表示データを伸長するステップを、さらに含んでいることを特徴とする請求項９に記載の表示信号無線伝送方法。
【発明の詳細な説明】
【技術分野】
【０００１】
本発明は、データ無線伝送及びデータ処理技術に関し、特に表示信号無線伝送方法及び装置、並びに表示機器に関する。
【背景技術】
【０００２】
現代社会において、人々の間の連絡及び交流が益々多くなり、情報交換が益々頻繁になり、情報量が次第に多くなってきた。電子技術と材料産業の発展に伴なって、人々は様々な電子データ処理システムを益々広く接触することになるので、より多く、より広く、より常に様々な表示デバイス、表示装置に直面することを避けることができない。
【０００３】
現在、表示機器は益々人間生活に不可欠な要素になってくる。表示機器は主に、デスクトップコンピュータの重要な表示部であり、CRTディスプレイと略称される陰極線管（Cathode Ray Tube）ディスプレイと、コンピュータ、家庭アプリケーションを含む多様な分野に応用される表示機器であり、主に液晶ディスプレイ（LCDディスプレイと略称）及びプラズマディスプレイ等を含むフラットパネルディスプレイと、公共の場所で優先に選択する表示機器であって、プロジェクションラージパネル（DLPと略称）及びビデオウォール等を備えているラージパネル表示機器と、に分類されている。
【０００４】
表示機器として、入力される表示データのトラフィックが大きくて、必要な帯域幅が広いという共通点を有している。これも現在の略全体の表示機器信号がケーブル伝送を回避できない要因である。
【０００５】
しかしながら、表示機器がケーブルを介して接続されるため、多くの欠点がある。例えば、デスクトップコンピュータを使用する場合、ケーブルを介してCRTディスプレイと接続すべきであるので、長さはケーブルの影響を受ける一方、移動も制限されている。なお、表示機器は一対一の専門機器であるので、複数のホスト機器が時間分割に同一のフラットパネルディスプレイを共有する場合、頻繁にケーブルの挿脱接続を行ようになる。より重要なことは、各ホスト機器は、同一のラージパネル表示機器にそれぞれの内容を同時にオンライン表示できない。現在、表示機器のパネルはますます大きくなっているので、複数のホストユーザが同時に同一の表示機器を使用することは、非常に強い市場需要及び展望を有し、重要な技術課題である。
【０００６】
そのため、人間は無線伝送によって表示機器へ信号を伝送することで、ケーブルの束縛から回避することを希望する。従来技術において、まずホスト機器が画像のデプス（depth）圧縮（有損失圧縮）を行い、IEEE802.11a／b無線伝送技術によって信号を表示機器に送信するステップと、表示機器が無線受信した後に再圧縮し、表示機器のインタフェース信号要求に応じて、復元したドットマトリクス画像を出力表示するステップとを大体的に含む表示信号を無線伝送する方法がある。しかしながら、この従来技術には、無線伝送技術（IEEE802.11a／b）が表示機器の高いトラフィックの問題をよく解決できないので、デプス有損失圧縮を採用する必要があることによって、表示する画像が元画像及び同期の効果を奏し得ないようになり、そのうえ、圧縮や伸長の設計方式しか採用できないので、コストの抑制が困難になるとともに、複数のホスト機器が一つの表示機器にそれぞれの内容を同時にオンライン表示する設計の実現が困難になるという欠点がある。
【０００７】
上記状況に鑑みて、新型の表示信号伝送メカニズムを提供して上記問題を解決する必要がある。
【発明の開示】
【発明が解決しようとする課題】
【０００８】
本発明は、従来技術の問題点に鑑みてなされたものであって、デプス有損失圧縮を行わずに表示機器信号の無線伝送を実現することによって、表示品質を向上できる、表示信号無線伝送方法及び装置、並びに表示機器を提供することを目的とする。
【０００９】
その上、本発明の他の目的は、表示機器に対するマルチユーザの使用と、表示機器の自由切替及び共有とを実現することにある。
【課題を解決するための手段】
【００１０】
そのため、本発明の一つの側面によれば、外部ホスト機器と表示機器との間に表示データを伝送するための表示信号無線伝送装置であって、該外部ホスト機器とのネットワーク転送プロトコルによる高周波数帯域範囲の信号チャネルを確立するための無線信号送受信手段と、該無線信号送受信手段に接続されており、無線信号送受信手段からの信号を解析して外部機器の情報、配置情報及び／又は表示データを解析するとともに、この配置情報に基づき配置及びモードの選択を実行して、有効な表示データを出力するための主コントローラと、該主コントローラ及び表示機器に接続されており、主コントローラからの表示データの記憶及び出力制御、並びに表示機器インタフェース信号のタイミング制御を実現するための画像データ処理制御手段と、を備えている表示信号無線伝送装置を提供する。
【００１１】
好ましくは、前記無線信号送受信手段が、高周波数帯域アナログ信号を送受信するためのアンテナと、高周波数帯域範囲の信号のアナログ・デジタル／デジタル・アナログ変換、符号化／復号化、変調／復調を実行するための無線伝送手段と、を備えている。
【００１２】
好ましくは、前記無線伝送手段が、超広帯域無線手段、または高帯域幅無線アダプタであり、無線周波数部と、ベースバンド・メディアアクセス制御部とを備えている。
【００１３】
好ましくは、前記画像データ処理制御手段が、複数のホスト機器が同時に使用するとともに画面分割表示する必要がある場合に、異なるホスト機器からの表示データを完全な表示データに合成するための画面分割コントローラと、画像のアクセス制御を実行するための画像記憶コントローラと、異なる表示モード及び更新頻度に基づいて、異なる出力タイミング信号及び同期信号を発生するための画像出力コントローラと、を備えている。
【００１４】
好ましくは、前記主コントローラが、外部機器の情報に基づいて、当該ホスト機器の表示機器共有を許容するのかを決定し、ホスト機器リストを管理し、画面分割制御パラメータを提供し、各外部ホスト機器に対応する出力フォーマット及びデータ要求を制御するために用いられる。
【００１５】
好ましくは、画像データ処理制御手段と表示機器との間に位置されており、画像データ処理制御手段からの表示データを変換して表示機器へ出力するためのデジタル・アナログ変換手段をさらに備えている。
【００１６】
好ましくは、この表示信号無線伝送装置は、さらに、外部ホスト機器に送信された無損失圧縮後の表示データを伸長することもできる。
【００１７】
本発明は、表示装置と、前記の表示信号無線伝送装置とを備えている表示機器であって、前記無線伝送装置が表示機器の内部に設けられ、外部ホスト機器から表示信号を受信して該表示装置に伝達する。
【００１８】
本発明は、外部ホスト機器と表示機器との間に表示データを伝送するための表示信号無線伝送方法において、ネットワーク転送プロトコルに基づき、無線方式にて外部ホスト機器からの高周波数帯域範囲の信号を受信するステップａ）と、前記受信された信号を解析して外部機器の情報、配置情報及び／又は表示データを解析するとともに、該配置情報に基づき配置及びモードの選択を実行して、有効な表示データを出力するステップｂ）と、
前記有効な表示データを処理し、表示機器インタフェース信号のタイミングを制御し、表示データを前記表示機器に出力するステップｃ）と、を含んでいる表示信号無線伝送方法を提供する。
【００１９】
好ましくは、前記ステップｃ）に、複数のホスト機器が同時に使用するとともに画面分割表示する必要がある場合に、異なるホスト機器からの表示データを完全な表示データに合成するステップと、画像のアクセス制御を実行するステップと、異なる表示モード及び更新頻度に基づいて、異なる出力タイミング信号及び同期信号を発生するステップと、を含んでいる。
【００２０】
好ましくは、前記ステップｂ）に、外部機器の情報に基づいて、当該ホスト機器の表示機器共有を許容するのかを決定するステップと、ホスト機器リストを管理し、画面分割制御パラメータを提供し、各外部ホスト機器に対応する出力フォーマット及びデータ要求を制御するステップと、を含んでいる。
【００２１】
好ましくは、前記ステップａ）の前に、ある外部ホスト機器が、各外部ホスト機器に対応する出力フォーマット及びデータ要求を制御するステップをさらに含んでいる。
【００２２】
好ましくは、前記ステップｃ）に、表示データを表示機器に出力する前に該表示データを変換するステップをさらに含んでいる。
【００２３】
好ましくは、外部ホスト機器に送信された無損失圧縮後の表示データを伸長するステップを、さらに含んでいる。
【発明の効果】
【００２４】
本発明は、従来技術に対して、高周波数帯域範囲の信号により表示信号の無線伝送を行うことで、汎用な表示機器とホスト機器とのケーブル接続を回避するとともに、移動使用に便利である。
【００２５】
なお、超広帯域無線伝送手段を採用するので、元のドットマトリクス画像データのままに伝送して受信でき、表示機器は同期表示したばかりでなく、その表示効果も元画像に相当する。
【００２６】
そして、本発明は、ネットワーク転送プロトコル及び画面分割制御設計によって、複数のホスト機器は表示しようとするデータを同一の表示機器に伝送して画面分割処理させることができる。したがって、表示機器のマルチホスト画面分割表示の目的及び効果を実現する。
【発明を実施するための最良の形態】
【００２７】
図１は本発明に係る表示信号無線伝送装置のブロック図である。
【００２８】
図１に示すように、該無線伝送装置は、アンテナ1、無線伝送手段2、メモリ3、主コントローラ4、画像記憶手段5、画像データ処理制御手段6、DAC（デジタル・アナログ変換）手段7及び電源手段8を含んでいる。
【００２９】
なお、上記アンテナ1は、主に高周波数帯域RF（無線周波数）アナログ信号を送受信するためのものであり、無線伝送手段2に接続されている。
【００３０】
上記無線伝送手段2は、UWB（Ultra Broadband、超広帯域）無線手段を採用してもよいし、帯域幅が比較的に広くて需要を満たさせるIEEE802.11x高帯域幅無線アダプタであってもよい。該無線伝送手段2は、通常、RF部と、ベースバンド・メディアアクセス制御部（図示せず）とを含んでいる。ここで、RF部は高周波数帯域範囲のアナログ信号の送受信を完成し、受信した信号をフィルタ処理し、データ信号の入出力速度を制御する。ベースバンド・メディアアクセス制御部はRF信号のアナログ・デジタル／デジタル・アナログ変換、符号化／復号化、変調／復調を実行し、標準的なメディアアクセス制御プロトコルに準拠して、インタフェースを提供して主コントローラ4に接続される。
【００３１】
上記メモリ3は、記憶メモリ、非記憶メモリ部（図示せず）を含み、主コントローラ4に接続されており、主コントローラ4の実行環境を提供する。なお、記憶メモリは、主コントローラ4のプログラムコードを記憶しており、電源遮断された後にコードがなくなることがない。非記憶メモリ部は、電源投入された後に動作し、プログラムコードを記憶してもよいし、データをバッファリングしてもよい。
【００３２】
上記主コントローラ4は、無線伝送手段2によって受信されるデータを解析する機能を実行し、異なる外部機器アドレス情報及びその対応するデータを解析し、配置情報と画像ドットマトリクスデータとを解析し、配置情報によって配置及びモードの選択を行い、有効な画像ドットマトリクスデータを画像データ処理制御手段6へ伝送して処理する。
【００３３】
上記画像データ処理制御手段6は、ドットマトリクス画像のフレーム作成記憶、画面分割画像フレーム作成制御、表示機器インタフェース信号のタイミング制御及びドットマトリクス画像の更新制御を行い、DVI、LVDS等のデジタル信号を出力する。画像データ処理制御手段6は、外部のデジタルインタフェースの表示機器と接続されてもよいし、DAC手段7に接続されてアナログ・デジタル変換した後、表示機器200へ伝送してもよい。
【００３４】
上記画像記憶手段5は画像データ処理制御手段6に接続されており、画像データ処理制御手段6によって処理されたドットマトリクス画像データを記憶し、画像フレーム毎に記憶している。
【００３５】
上記DAC手段7は、画像データ処理制御手段6に接続されており、デジタルの表示出力信号からアナログ信号への変換を行い、VGA信号に変換し、VGA信号出力をサポートする表示機器に外部接続してもよい。
【００３６】
上記電源手段8は本発明の表示信号無線伝送装置の動作時の電力供給要求を提供する。
【００３７】
勿論、本発明の表示信号無線伝送装置が表示機器の内部に設けられてもよいことは、当業者にとって理解すべきである。この場合、本発明の装置は表示機器の内部電源を直接利用して電力供給でき、別途に電源手段8を設置する必要がない。
【００３８】
なお、該無線伝送装置において、無線伝送手段2の数は複数であってもよく、主コントローラ4は複数のインタフェースを提供して、対応する無線伝送手段2に接続する。
【００３９】
図２を参照すれば、図２は、本発明の表示信号無線伝送方法のフローチャートである。
【００４０】
本発明において、表示機器信号の無線伝送を実現する方法は、以下のようなステップを含む
ステップS1において、外部ホスト機器は、画像ドットマトリクスデータを直接取得出力し、フォーマット変換をしてもよいし、フォーマット変換をしなくてもよい。
【００４１】
ステップS2において、外部ホスト機器は、ドットマトリクス画像を分割して複数のパケットにパッキングし、アドレス、状態等のパケット情報を付加し、無線伝送標準に準拠してホスト機器の無線送信手段から送信する。当該無線送信手段は、本発明の装置の無線手段と類同するか、または互換性を有する。
【００４２】
ステップS3において、本発明に係る装置は、異なるアドレスの複数のホスト機器に対してデータ受信を実行し、ドットマトリクス画像付きデータパケットを分離する。
【００４３】
ステップS4において、本発明に係る装置は、ドットマトリクス画像データをデパッキングして、ヘッダ等の情報を除去する。
【００４４】
ステップS5において、本発明に係る装置は、ドットマトリクス画像データを判定し、単一ホストのデータであれば、ステップS7に進み、複数のホストのデータであれば、ステップS6に進んで、複数のホストのデータ処理を行う。
【００４５】
ステップS6において、本発明に係る装置は、複数のホストのドットマトリクス画像データに対して画面分割処理し、複数のホストのデータを一つの完全な画像フレームに合成する。
【００４６】
ステップS7において、本発明に係る装置は、完全な画像データフレームを表示機器へ出力して表示し、表示機器によって要求される頻度に合わせて更新する。
【００４７】
図３を参照すれば、図３は、本発明に係る表示信号無線伝送装置におけるマルチユーザ使用を実現する模式図である。
【００４８】
表示信号無線伝送装置100は、表示機器200に接続されており、複数の外部ホスト機器300からの表示内容を受信することができる。
【００４９】
なお、ホスト機器300は、PC、ノートブック型コンピュータ、ハンドセット機器（スマートフォーン、携帯型プレーヤー）等であり、表示機器300は、プロジェックタ、ディスプレイ、テレビ等である。
【００５０】
表示機器200は、必要に応じて、一つのホスト機器300に使用される場合には、全画面表示を行い、複数のホスト機器300に使用される場合には、画面分割表示を行う。
【００５１】
画面分割表示の場合には、表示信号無線伝送装置100は、各ユーザの画面分割領域のサイズに応じて、異なるホスト機器300に対し異なる出力フォーマット要求を送信して、異なるホスト機器300に異なるデータ量の表示信号を送信させることで、ホスト機器300のデータの送信量を減少させるとともに、表示信号無線伝送装置100が単一ユーザとマルチユーザを受信する場合に同様なデータ量を処理するようになることを保証できる。
【００５２】
勿論、画面分割表示の場合には、あるホスト機器300が制御を開始して、各ホスト機器300の対応する出力フォーマット要求を通知してもよい。
【００５３】
図４を参照すれば、図４は、本発明に係る信号を表示する無線伝送装置においてマルチユーザによる画面分割表示を実現する一実施例のフローチャートである。
【００５４】
ステップS410において、無線伝送装置が電源投入され、初期化する。
【００５５】
ステップS420において、デフォルトの表示モードになって、外部ホスト機器の共有要求の受信を用意する。
【００５６】
ステップS430において、ユーザの等級及びユーザ認証によって、要求を受信するか否かを決定する。正当なユーザであれば、ステップS440に進み、その他のユーザであれば、応答しない。
【００５７】
ステップS440において、要求を受信してホスト機器リスト及びユーザ情報を更新する。
【００５８】
ステップS450において、画面分割制御パラメータを提供して新たな表示モードを決定し、各外部ホスト機器の出力フォーマット及びデータ要求を配信する。
【００５９】
ステップS460において、各ホスト機器の表示信号及び状態情報を受信してそれぞれ処理する。状態情報には、外部ホスト機器が退出したのか、新しい外部ホスト機器が加入したのかを含んでいる。
【００６０】
新しいホスト機器の加入要求があると、ステップS430に直接返して、受信要求判定を行い、ホスト機器が退出したかまたは故障した場合、ステップS440に直接返して、ホスト機器リストを更新し、新たにリスティングする。
【００６１】
表示信号であれば、以下の処理を実行する。
【００６２】
ステップS470において、各ホスト機器から送信されたデータパケットをデパッキングして、ドットマトリクス画像データを抽出する。
【００６３】
ステップS480において、画面分割制御パラメータに基づいて、ドットマトリクス画像の合成を行い、複数のユーザの表示内容を一つの完全な画像フレームに合成する。
【００６４】
ステップS490において、特定されたモード頻度に従って更新し出力表示する。
【００６５】
このように、複数のユーザのホスト機器は、同一の表示機器の画面分割表示に動的に加入する機能特性を実現している。
【００６６】
勿論、ホスト機器の状態及び画面分割制御パラメータをあるホスト機器によって協調管理することで、本発明に係る無線伝送装置に合わせてマルチユーザの画面分割表示を実現してもよいことは、当業者にとって理解すべきである。
【００６７】
図５を参照すれば、図５は、本発明に係る表示信号無線伝送装置の一実施例のブロック図である。
【００６８】
本実施例において、上記アンテナ1及び無線伝送手段2はそれぞれFreescale社専用アンテナ及びFreescale社最新のUWB XS660無線伝送手段を採用するとする。
【００６９】
なお、UWB XS660は、超広帯域の無線伝送能力を有しており、最高速度が660Mbpsである。IEEE802.15.3ネットワークプロトコル標準に準拠して、複数のホスト機器から送信された画像データパケット及びそのネットワーク制御情報等を受信することを主に実行する。
【００７０】
上記メモリ3は、DDR／SDRAM非記憶メモリ32とFLASH記憶メモリ31とを主に含んでおり、データとプログラムコードデータとをそれぞれ記憶するために用いられる。
【００７１】
上記主コントローラ4は、AMCC社のPPC440EPのPOWER PC仕組みによるプロセッサを採用し、本実施例においてプロトコルの解析、ネットワーク制御、ドットマトリクス画像データの抽出・出力を行うものであって、本発明に係る装置の制御における核心である。
【００７２】
上記画像記憶手段5は、DDR／SDRAM／SRAM型のメモリを含み、このメモリはフレームごとにドットマトリクスの画像データを記憶している。
【００７３】
上記画像記憶制御手段6は、xilinx社のFPGA（Filed Programmable Gate Array）によって実現されるものであって、画面分割コントローラ61と、画像出力コントローラ62と、画像記憶コントローラ63とを含んでいる。なお、上記画面分割コントローラ61は、複数のユーザが同時に使用する場合に画面分割表示すべきである異なるユーザのデータ処理に主に用いられるものであって、異なるユーザの画像データを一定のアドレス空間に応じて合成して、一つの完全なフレーム画像に合成する。画像記憶コントローラ63は、データを画像記憶モジュール5に記憶させる。また、画像記憶コントローラ63は、1フレームずつ画像出力コントローラ62に合わせてドットマトリクス画像を出力する。上記画像出力コントローラ62は、異なる表示モード及び更新頻度に基づいて、異なる出力タイミング信号及びライン・フィールド同期信号等を発生する。
【００７４】
上記DAC手段7は、ADI社のADI7125によってドットマトリクス画像フレーム信号のデジタル・アナログ変換を実現し、VGA表示機器をサポートする出力需要を満たす。
【００７５】
上記電源手段8は、5Vの電圧入力を受けて3.3V及び2.5Vの電源出力を本発明に係る装置へ提供することで電力供給する。この電源手段8は、2つのTPS54310を選択して3.3V及び2.5Vの電源をそれぞれ供給する。
【００７６】
以上のように、本発明に係る表示信号無線伝送装置は、高いデータトラフィック入力の無線広帯域アクセス手段を備えているとともに、様々な表示出力インタフェース（DVI、LVDS、VGA）を介して標準的な表示機器に接続されるか、または表示機器の内部に設けられて広帯域無線の表示機器を構成することで、画像データの無線受信及び制御を実現でき、データの有損失圧縮を行わずに、表示機器によって表示機能を実行できる。
【００７７】
本発明の一実施例において、無線伝送手段はUWB技術を採用し、手段の最高伝送速度はGbpsに達する可能性があり、SVGA出力に達するドットマトリクスデータは数百Mbpsであるので、本発明に係る装置の無線伝送手段は、元のドットマトリクス画像データを完全に直接送受信することで、画像を元画像と同じになるようにすることができる。勿論、簡単な圧縮を行うことができる。
【００７８】
なお、本発明に係る装置は、ネットワークプロトコルによってデータの広帯域無線通信伝送を行い、複数のホスト機器をアクセスして通信する能力を有し、画面分割制御によって複数のホストの画面分割表示設計を実現することが容易である。画面分割メカニズムを有する表示信号無線伝送装置は、複数のホスト機器を同時にサポートすることで、マルチユーザ表示の画面分割処理及び表示出力を実行することができる。
【００７９】
以上、本発明の最良の実施形態について説明したが、当業者にとって、本発明の趣旨を逸脱することなく、変更／改良することができ、これらの変更／改良も本発明の保護範囲に含まれるものである。
【図面の簡単な説明】
【００８０】
【図１】図１は、本発明に係る表示信号無線伝送装置のブロック図である。
【図２】図２は、本発明に係る表示信号無線伝送方法のフローチャートである。
【図３】図３は、本発明に係る表示信号無線伝送装置におけるマルチユーザ使用を実現する模式図である。
【図４】図４は、本発明に係る信号を表示する無線伝送装置においてマルチユーザによる画面分割表示を実現する一実施例のフローチャートである。
【図５】図５は、本発明に係る表示信号無線伝送装置の一実施例のブロック図である。
【符号の説明】
【００８１】
２  無線伝送手段
３  メモリ
４  主コントローラ
５  画像記憶手段
６  画像データ処理制御手段
７  ＤＡＣ手段
８  電源手段
２００  表示機器
【図１】
2009510816.tif 000003
【図２】
2009510816.tif 000004
【図３】
2009510816.tif 000005
【図４】
2009510816.tif 000006
【図５】
2009510816.tif 000007
【国際調査報告】
2009510816.tif 000008
2009510816.tif 000009
2009510816.tif 000010
2009510816.tif 000011